(57)【要約】  【課題】アキュムレータを、簡単に、しかも、確実に、固定できるアキュムレータ架台を得る。  【解決】脚部９に立設された柱体５と、該柱体５に設けられ、アキュムレータ取付けバンド７が固定される固定アーム部１１とを備えたアキュムレータ架台３において；前記柱体５は、間隔をおいて対向する一対の長辺縁５ｂ、５ｂを備え、かつ、前記両長辺縁がアキュムレータ１の設置背面１Ｂに当接する当接部になっている。  【選択図】  図３
2009036285.tif 000002
【特許請求の範囲】
【請求項１】
脚部に立設された柱体と、該柱体に設けられ、アキュムレータ取付けバンドが固定される固定アーム部と、を備えたアキュムレータ架台において；
前記柱体は、間隔をおいて対向する一対の長辺縁を備え、かつ、前記両長辺縁がアキュムレータの設置背面に当接する当接部となることを特徴とするアキュムレータ架台。
【請求項２】
前記柱体は、Ｌ型鋼、Ｃ型鋼、又は、Ｈ型鋼により形成されていることを特徴とする請求項１記載のアキュムレータ架台。
【請求項３】
前記固定アーム部は、前記柱体の先端部に１個設けられていることを特徴とする請求項１記載のアキュムレータ架台。
【請求項４】
前記柱体の両長辺縁は、少なくともアキュムレータの全長の半分以上にわたってアキュムレータの設置背面に当接することを特徴とする請求項１記載のアキュムレータ架台。
【発明の詳細な説明】
【技術分野】
【０００１】
この発明は、液圧装置等に用いられるアキュムレータに関するものであり、更に述べると、アキュムレータを保持する架台に関するものである。
【背景技術】
【０００２】
液圧装置の配管には、脈動吸収などを行うため、アキュムレータが設けられている。
このアキュムレータは、架台に固定されているが、この架台は、図6、図7に示すように、脚部（９）に立設され、C型鋼で形成された柱体（５）と、アキュムレータ取付けバンド（７）が固定される固定アーム部（１１）と、を備えている。
【０００３】
前記架台（３）に固定されているアキュムレータ（１）は、その下部がベースプレート（１９）に支持され、その設置背面（１Ｂ）が柱体（５）に当接され、アキュムレータ（１）の胴部は上下二本のアキュムレータ取付けバンド（７）（７）により締め付け固定されている。ここで、アキュムレータの設置背面（１Ｂ）とは、キュムレータ（１）が架台（３）に取り付けられたときにおける、前記柱体（５）側の面をいう。
【０００４】
このアキュムレータ架台（３）は、アキュムレータ１の設置背面１Bが、C型鋼（５）の背面（５Ｂ）、即ち、開口部（５ａ）の反対側の面、に当たる様にし、該架台（３）の背から手前のアキュムレータ（１）の中心（１Ｃ）寸法を出し易く設計されている。
【０００５】
なお、（１３）はバルブフラジ、（１５）は液圧装置等の配管、（１７）はフランジ、（２１）はバンド締め付けボルト、をそれぞれ示す。
【発明の開示】
【発明が解決しようとする課題】
【０００６】
従来例では、アキュムレータの設置背面（１Ｂ）がチャンネルの背面（５Ｂ）と一本の線接触状態で当接しているので、アキュムレータ（１）が振動などを受けると、左右方向にぶれ易い。そのため、アキュムレータ（１）の中心と柱体（５）の中心とがずれてしまい、バルブフランジ（１３）、フランジ（１７）に大きな負荷がかかり、破損することがある。
【０００７】
そこで、アキュムレータが左右方向にぶれないように、上下２箇所をバンド（７）（７）で強固に固定している。しかし、この固定作業は、アキュムレータ（１）の中心（１Ｃ）と柱体（５）の中心とを対応させた状態（芯合わせ）で行わなければならないが、この芯合わせ作業に時間がかかる。
また、アキュムレータ（１）を２本の前記バンド（７）（７）で締め付けるため、該バンドを締め付けるのに時間がかかり、作業時間の長期化を招いている。
【０００８】
この発明は、上記事情に鑑み、簡単に、しかも、確実にアキュムレータを固定できるアキュムレータ架台を提供することを目的とする。
【課題を解決するための手段】
【０００９】
この発明は、脚部に立設された柱体と、該柱体に設けられ、アキュムレータ取付けバンドが固定される固定アーム部と、を備えたアキュムレータ架台において；前記柱体は、間隔をおいて対向する一対の長辺縁を備え、かつ、前記両長辺縁がアキュムレータの設置背面に当接する当接部とであることを特徴とするアキュムレータ架台、である。
【００１０】
この発明の前記柱体は、Ｌ型鋼、Ｃ型鋼、又は、Ｈ型鋼により形成されていることを特徴とする。この発明の前記腕体は、前記柱体の先端部に１個設けられていることを特徴とする。
【００１１】
この発明の前記柱体の両長辺縁は、少なくともアキュムレータの全長の半分以上にわたってアキュムレータの設置背面に当接することを特徴とする。
【発明の効果】
【００１２】
この発明は、以上のように構成したので、アキュムレータの設置背面は、当接部である柱体の一対の長辺縁に当接するので、芯合わせを容易に行うことができるとともに、前記アキュムレータの設置背面は、前記両長辺縁に挟まれるようにしながら支持されるので、左右方向にぶれるのを防止することができる。又、アキュムレータ取付けバンドは、１本あればアキュムレータを十分に固定することができるので、取付作業を簡単、かつ迅速に行うことができる。
【発明を実施するための最良の形態】
【００１３】
本発明者は、前記課題を解決するためには、アキュムレータの設置背面を柱体に線接触させるときに、線接触する部分が一本だけでなく、２本、即ち、柱体の幅方向に間隔をおいて２本の線接触する部分が発生するようにすれば良いことに気がついた。
【００１４】
そこで、この２本の線接触する部分を、簡単に得るにはどうしたら良いかを検討したところ、従来使用されているチャンネル（Ｃ型鋼）の向きを反対にすれば良いことがわかった。即ち、一対の長辺縁を有するＣ型鋼の開口部（５ａ）をアキュムレータの設置背面（１Ｂ）に向け、前記両長辺縁を当接部にして、前記設置背面に当接させるのである。
【００１５】
このＣ型鋼を柱体として用いると、アキュムレータの芯合わせが容易となるとともに、１本のアキュムレータ取付けバンドで固定してもアキュムレータが左右方向にぶれるのを防止することができる。
なお、柱体の材料は、Ｃ型鋼に限定されるものではなく、間隔をおいて対向する一対の長辺縁を備えた部材、例えば、Ｈ型鋼、Ｌ型鋼（山型鋼）なども利用可能である。
【実施例】
【００１６】
この発明の第１実施例を図１〜図３により説明する。
アキュムイレータ架台３は、柱体５と、該柱体５の下端部に設けた脚部９と、該柱体５の上端部に設けた固定アーム部１１と、を備えている。
【００１７】
柱体５は、チャンネル（Ｃ型鋼）で形成され、その長さＬ５は、アキュムレータ１の長さＬ１より少し短く形成されているが、前記チャンネル５の長さＬ５は、必要に応じて適宜選択され、例えば、アキュムレータ１の全長の半分以上がチャンネル５に当接できるような長さが選ばれる。
【００１８】
柱体５の開口部５ａには、間隔をおいて対向する一対の長辺縁５ｂ、５ｂが設けられている。前記両長辺縁５ｂ、５ｂ間の幅Ｗは、例えば、５０〜２００mmに形成されているが、この両長辺縁５ｂ、５ｂは、アキュムレータ１の設置背面１Ｂが当接する当接部となる。
【００１９】
脚部９は、第１Ｃ型鋼９ａと、該第１Ｃ型鋼１ａに直交する第２Ｃ型鋼９ｂとからなり、該両Ｃ型鋼９ａ，９ｂは、共に開口部５ａを下向きにして配設されている。前記両Ｃ型鋼９ａ，９ｂの交差部には、前記柱体５が立設されているが、この柱体５の開口部５ａは、第２Ｃ型鋼９ｂ方向を向いている。
【００２０】
固定アーム部１１は、柱体５の上端部に直交して設けられ、その両端部にはボルト固定穴１１ａが設けられている。この固定部１１は、左右対称に形成されたＬ型鋼（山型鋼）により形成され、前記脚部９の第１Ｃ型鋼９ａと平行に配設されている。
【００２１】
次に、この架台３にアキュムレータ１を取り付ける場合について説明する。
柱体５のベースプレート１９でアキュムレータ１の下端部を支持し、該アキュムレータ１を該柱体５に押し付ける。
【００２２】
そうすると、該アキュムレータ１の設置背面１Ｂは、前記柱体５の両長辺縁（当接部）５ｂ，５ｂに当接しながら芯合わせされ、前記両長辺縁５ｂ，５ｂに挟まれた様な状態となる。そのため、該アキュムレータ１は、自然に芯合わせがなされ、かつ、左右方向にぶれなくなる。
【００２３】
前記アキュムレータ１の胴部の上端部側に巻かれている、アキュムレータ取付けバンド７をバンド締付けボルト２１で締め付け、固定アーム部１１に固定する。この様にしてアキュムレータ１は、前記架台３に強固に固定され、一体となる。
なお、該バンド７の数については、特に限定されず、例えば、該バンドを２本用い、アキュムレータ１の上部側及び下部側をそれぞれ固定しても良いことは勿論である。
【００２４】
この発明の第２実施例を図４により説明するが、図１〜図３と同一図面符号は、その名称も機能も同一である。
この実施例と第１実施例との相違点は、柱体として、チャンネルの代わりに、Ｌ型鋼（山型鋼）２５を用いたことである。このＬ型鋼２５の開口部２５ａは、Ｖ字状になっているが、この両長辺縁２５ｂ，２５ｂが、アキュムレータ１の設置背面１Ｂに当接する当接部となる。
【００２５】
この発明の第３実施例を図５により説明するが、図１〜図３と同一図面符号は、その名称も機能も同一である。
この実施例と第１実施例との相違点は、柱体として、チャンネルの代わりに、両側に開口部３５ａ，３５ｃを有するＨ型鋼３５を用いたことである。このＨ型鋼３５の開口部３５ａは、Ｕ字状になっているが、この開口部３５ａの両長辺縁３５ｂ，３５ｂが、アキュムレータ１の設置背面１Ｂに当接する当接部となる。
【図面の簡単な説明】
【００２６】
【図１】本発明の第１実施例を示す平面図である。
【図２】本発明の第１実施例を示す正面図である。
【図３】本発明の第１実施例の架台を示す拡大斜視図である。
【図４】本発明の第２実施例を示す平面図である。
【図５】本発明の第３実施例を示す平面図である。
【図６】従来例を示す平面図である。
【図７】従来例を示す正面図である。
【符号の説明】
【００２７】
１    アキュムレータ
３    架台
５    柱体
５ａ  開口部
５ｂ  長辺縁
９    脚部
１１  固定アーム部
【図１】
2009036285.tif 000003
【図２】
2009036285.tif 000004
【図３】
2009036285.tif 000005
【図４】
2009036285.tif 000006
【図５】
2009036285.tif 000007
【図６】
2009036285.tif 000008
【図７】
2009036285.tif 000009